(57)【要約】【課題】昇降用ロープに作用する張力を容易に均一化することができるエレベータシステムを提供する。【解決手段】エレベータシステムは、昇降路を上下移動するかご室と、昇降路の上方側に配置される滑車設置用架台９０と、近接配置される複数のロープ３１〜３３により構成されてかご室を上下移動させる昇降用ロープ４と、ロープ３１〜３３が架けられる張力調整用定滑車５１、５２、５３とを有する。さらに、この滑車設置用架台９０の上面側に配置される複数の張力調整用定滑車と、滑車設置用架台９０の下面側に配置されて複数のロープが一対となって接続される複数の張力調整用動滑車とを配置して、張力調整用ロープを張力調整用定滑車と張力調整用動滑車に交互に架け渡してもよい。【選択図】図４
2009062132.tif 000002
【特許請求の範囲】
【請求項１】
昇降路を上下移動するかご室と、
近接配置される複数のロープにより構成されて前記かご室を上下移動させる昇降用ロープと、
前記昇降路の上方側に配置される滑車設置用架台と、
この滑車設置用架台上に回転軸が固定されて少なくとも１本の前記ロープが架けられる張力調整用定滑車と、
を有することを特徴とするエレベータシステム。
【請求項２】
前記昇降用ロープは２本以上を有し、少なくとも１本の前記ロープが架けられる前記張力調整用定滑車が複数台配置されること、を特徴とする請求項１に記載のエレベータシステム。
【請求項３】
昇降路を上下移動するかご室と、
近接配置される複数のロープにより構成されて前記かご室を上下移動させる昇降用ロープと、
前記昇降路の上方側に配置される滑車設置用架台と、
この滑車設置用架台の上面側に回転軸が固定される複数の張力調整用定滑車と、
前記滑車設置用架台の下面側に配置されて前記昇降用ロープを構成する複数の前記ロープが一対となって接続される複数の張力調整用動滑車と、
前記張力調整用定滑車と前記張力調整用動滑車を交互に架け渡されて前記張力調整用動滑車を支持する第１の張力調整用ロープと、
を有することを特徴とするエレベータシステム。
【請求項４】
前記滑車設置用架台の下面側に配置され、前記回転軸が水平となる上方動滑車と下方動滑車を具備しこれらの滑車が鉛直方向に並んで配置され、前記上方動滑車と前記下方動滑車それぞれの前記回転軸を連結部材により連結するように構成される複数の張力調整用連結動滑車と、
前記張力調整用定滑車と前記上方動滑車とを交互に架け渡されて前記張力調整用連結動滑車を支持する第２の張力調整用ロープと、
をさらに有し、
少なくとも１本の前記ロープが前記下方動滑車に架けられるように構成されることを特徴とする請求項１ないし請求項３のいずれか一項に記載のエレベータシステム。
【発明の詳細な説明】
【技術分野】
【０００１】
本発明は、昇降用ロープによりかご室等を昇降させるエレベータシステムに関する。
【背景技術】
【０００２】
エレベータは、例えば昇降路上方の機械室内に巻上機が設置されて、巻上機に昇降用ロープが架け渡され、昇降用ロープが機械室床のロープ案内口を通って昇降路内に吊り下げられている。この昇降用ロープには、かご室および、釣り合い重りが吊り下げられている。
【０００３】
かご室および釣り合い重りを吊り下げる昇降用ロープは、一般には互いに近接配置された複数のロープにより構成されて巻上機に架け渡されている。これらの複数のロープの端部は、昇降路の上方に設置されるロープ固定部などに固定されて、エレベータシステムの組み立て時などに、それぞれの張力が均等になるように調整されている。
【０００４】
しかし、複数のロープの張力が均等に調整されていない場合には、大きい張力が作用するロープに負荷が集中し、破損する場合がある。昇降用ロープの破損は、大事故につながる可能性もある。したがって、昇降用ロープのそれぞれに対して張力が均等に作用するように調整することが重要となる。
【０００５】
昇降用ロープの張力を均一に調整する場合、従来では、作業者が個々のロープの張り具合を感覚によって比較し、全てのロープの張力が均一になるように調整を行っていた。しかし、このような作業者の感覚に基づく調整方法では、個人差によってロープの張力にばらつきが生じてしまうため、常に正確な調整を行うことは困難であった。
【０００６】
昇降用ロープの張力の調整方法は、例えば特許文献１に開示されるように、昇降用ロープの端部を固定する際に、油圧ジャッキ等を用いて、ロープの長さまたは固定位置等を調整することにより、張力の調整を行う方法などが知られている。
【特許文献１】特開２００６−１２４０６４号公報
【発明の開示】
【発明が解決しようとする課題】
【０００７】
ところが、従来における昇降用ロープの張力調整方法では、個々のロープに作用する張力を均等にするためには、調整するための作業に長時間を必要とするため作業性が悪い等の問題があった。また、最近のエレベータシステムは機械室を設けず、巻上機等を昇降路内に収納する型式（いわゆるマシンルームレス方式）なども多く、ロープの張力調整作業はそれ程容易とは言えない。
【０００８】
本発明は、上述した課題を解決するためになされたものであり、その目的は、エレベータシステムの昇降用ロープに作用する張力を容易に均一化することである。
【課題を解決するための手段】
【０００９】
上記目的を達成するため本発明に係るエレベータシステムは、昇降路を上下移動するかご室と、近接配置される複数のロープにより構成されて前記かご室を上下移動させる昇降用ロープと、前記昇降路の上方側に配置される滑車設置用架台と、この滑車設置用架台上に回転軸が固定されて少なくとも１本の前記ロープが架けられる張力調整用定滑車と、を有することを特徴とする。
【００１０】
また、本発明に係るエレベータシステムは、昇降路を上下移動するかご室と、近接配置される複数のロープにより構成されて前記かご室を上下移動させる昇降用ロープと、前記昇降路の上方側に配置される滑車設置用架台と、この滑車設置用架台の上面側に回転軸が固定される複数の張力調整用定滑車と、前記滑車設置用架台の下面側に配置されて前記昇降用ロープを構成する複数の前記ロープが一対となって接続される複数の張力調整用動滑車と、前記張力調整用定滑車と前記張力調整用動滑車を交互に架け渡されて前記張力調整用動滑車を支持する第１の張力調整用ロープと、を有することを特徴とする。
【発明の効果】
【００１１】
本発明によれば、エレベータシステムの昇降用ロープに作用する張力を容易に均一化することが可能である。
【発明を実施するための最良の形態】
【００１２】
［第１の実施形態］
本発明に係るエレベータシステムの第１の実施形態について、図面を用いて説明する。図１は、本実施形態のエレベータシステムの概略正面図ある。図２は、図１のエレベータシステムにおいてかご室用滑車１１が２つ配置される例である。図３は、図２において、昇降用ロープ４に張力が作用している状態を示す概略正面図である。
【００１３】
図１および図２に示すように、本実施形態のエレベータシステムは、昇降路１５を上下移動してかご室用滑車１１等を具備するかご室１、釣り合い重り用滑車１２を具備する釣り合い重り２、巻上機３、この巻上機３に架け渡されてかご室１および釣り合い重り２等を上下移動させる昇降用ロープ４、この昇降用ロープ４の両端部に配置される張力調整機構５などで構成されている。さらに、このエレベータシステムは、巻上機３および張力調整機構５等が設置される滑車設置用架台９０が昇降路１５の上方に配置されている。また、このエレベータシステムの動作を制御する制御装置（図示せず）なども有している。
【００１４】
図３に示すように昇降用ロープ４には、かご室１側の張力ＴＡおよび釣り合い重り２側の張力ＴＢが作用している。かご室１側の張力ＴＡは、巻上機３におけるかご室１側に作用する張力、かご室１側のそらせ車（図示せず）に作用する張力、およびかご室１側の張力調整機構５に作用する張力において等しい。釣り合い重り２側の張力ＴＢは、巻上機３の釣り合い重り２側に作用する張力、釣り合い重り２側のそらせ車（図示せず）に作用する張力、および釣り合い重り２側の張力調整機構５に作用する張力において等しい。
【００１５】
図１のエレベータシステムに設置される張力調整機構５について図４、図５、および図６を用いて説明する。図４は、図１のエレベータシステムに搭載される本実施形態の張力調整機構５の拡大側面図で、図５は、その正面図である。図６は、図４および図５の変形例を示す概略図であって、図６（ａ）は正面図、図６（ｂ）は側面図である。
【００１６】
図４に示すように、張力調整機構５は、昇降用ロープ４が架け渡された第１張力調整用定滑車５１、第２張力調整用定滑車５２、および第３張力調整用定滑車５３などにより構成されている。これらの張力調整用定滑車は、定滑車用回転軸１９を具備しロープが架け渡される円盤状の定滑車本体２０およびこの定滑車本体２０を支持する支持部材２７などにより構成されている。この支持部材２７は、滑車設置用架台９０の上面側に設置されている。なお、第１張力調整用定滑車５１、第２張力調整用定滑車５２、および第３張力調整用定滑車５３の定滑車本体２０は、ほぼ同じ直径である。
【００１７】
これらの張力調整用定滑車は、滑車設置用架台９０の上面側に配置され、これらの定滑車用回転軸１９が水平で互いに平行になるように配置されている。さらに、これらの張力調整用定滑車の定滑車本体２０の円盤面は、ほぼ同じ平面上に配置されている。
【００１８】
また、昇降用ロープ４は３本のロープ、すなわち第１ロープ３１、第２ロープ３２、および第３ロープ３３により構成されている。第１張力調整用定滑車５１の定滑車本体２０には、第１ロープ３１が架け渡されている。同様に、第２ロープ３２は第２張力調整用定滑車５２の定滑車本体２０に架け渡されて、第３ロープ３３は、第３張力調整用定滑車５３の定滑車本体２０に架け渡される。
【００１９】
このとき、第１張力調整用定滑車５１の定滑車本体２０に作用する張力をｔ１と定義する。同様に、第２張力調整用定滑車５２および第３張力調整用定滑車５３それぞれの定滑車本体２０に作用する張力をｔ２、ｔ３と定義する。また、定滑車本体２０に架けられる第１ロープ３１に作用する張力は、定滑車本体２０を中心として一方をＦ１、他方をＦ２と定義する。同様に、第２ロープ３２については、定滑車本体２０を中心として一方をＦ３、他方をＦ４とし、第３ロープ３３については、一方をＦ５、他方をＦ６と定義する。このとき、式（１）が成り立つ。
【００２０】
ｔ１＝Ｆ１＝Ｆ２、ｔ２＝Ｆ３＝Ｆ４、ｔ３＝Ｆ５＝Ｆ６    …（１）
したがって、本実施形態によれば、昇降用ロープ４を構成する複数のロープにおいて、定滑車本体２０に架け渡されたロープの両端に作用する張力を均一にすることが可能である。
【００２１】
なお、図６に示すように、支持部材２７を安定させるために、支持部材２７と滑車設置用架台９０との間に緩衝ばね４１および倒れ防止部材４２等を配置してもよい。図６には第１張力調整用定滑車５１のみを示し、第２張力調整用定滑車５２および第３張力調整用定滑車５３の図示は省略するが、第１張力調整用定滑車５１、第２張力調整用定滑車５２、および第３張力調整用定滑車５３は、図４と同様に配置される。
【００２２】
［第２の実施形態］
次に、本発明に係るエレベータシステムの張力調整機構５の第２の実施形態について、図７および図８を用いて説明する。なお、同一部分または類似部分には、同一符号を付して、重複説明を省略する。図７は、図１のエレベータシステムに搭載される本実施形態の張力調整機構５を示す拡大側面図である。図８は、図７のVIII−VIII線矢視図で、一部断面の正面図である。
【００２３】
滑車設置用架台９０の上面側には、５台の張力調整用定滑車、第１張力調整用定滑車５１、第２張力調整用定滑車５２、第３張力調整用定滑車５３、第４張力調整用定滑車５４、および第５張力調整用定滑車５５が配置されている。これらの張力調整用定滑車は、第１の実施形態と同様に、定滑車用回転軸１９を有する定滑車本体２０と、この定滑車本体２０を支持する支持部材２７により構成されている。なお、これらの張力調整用定滑車の定滑車本体２０は、ほぼ同じ直径である。
【００２４】
また、これらの張力調整用定滑車は、第１の実施形態と同様に、滑車設置用架台９０の上面側に配置され、定滑車用回転軸１９が水平で互いに平行になるように配置されている。さらに、これらの張力調整用定滑車の定滑車本体２０の円盤面は、ほぼ同じ平面上に配置されている。
【００２５】
滑車設置用架台９０下面側には、６台の張力調整用動滑車、第１張力調整用動滑車６１、第２張力調整用動滑車６２、第３張力調整用動滑車６３、第４張力調整用動滑車６４、第５張力調整用動滑車６５、および第６張力調整用動滑車６６が配置されている。これらの張力調整用動滑車は、動滑車用回転軸２１を有する動滑車本体２２と、端部固定部材２８などにより構成されている。なお、これらの張力調整用動滑車の動滑車本体２２は、ほぼ同じ直径である。
【００２６】
端部固定部材２８には、昇降用ロープ４を構成する複数のロープのうち少なくとも１本が接続されている。本実施形態では、第１張力調整用動滑車６１の端部固定部材２８には、第１ロープ３１が接続されている。同様に、第２張力調整用動滑車６２、第３張力調整用動滑車６３、第４張力調整用動滑車６４、第５張力調整用動滑車６５、および第６張力調整用動滑車６６の端部固定部材２８には、それぞれ、第２ロープ３２、第３ロープ３３、第４ロープ３４、第５ロープ３５、および第６ロープ３６が接続されている。
【００２７】
また、これらの張力調整用動滑車は、滑車設置用架台９０の上面側に配置され、動滑車用回転軸２１が水平で互いに平行になるように配置されている。さらに、これらの張力調整用滑車の動滑車本体２２の円盤面は、ほぼ同じ平面上に配置されている。
【００２８】
これらの張力調整用定滑車および張力調整用動滑車は、交互に配置されている。すなわち、端部側から順に、第１張力調整用動滑車６１、第１張力調整用定滑車５１、第２張力調整用動滑車６２、第２張力調整用定滑車５２、第３張力調整用動滑車６３、第３張力調整用定滑車５３、第４張力調整用動滑車６４、第４張力調整用定滑車５４、第５張力調整用動滑車６５、第５張力調整用定滑車５５、第６張力調整用動滑車６６、となるように配置されている。なお、これらの滑車の定滑車本体２０および動滑車本体２２の円盤面は全て、ほぼ同じ平面上に配置されている。
【００２９】
滑車設置用架台９０の上面側には張力調整用ロープ５０の両端部が固定される第１張力調整用ロープ固定部５６および第２張力調整用ロープ固定部５７が設けられている。張力調整用ロープ５０は、この第１張力調整用ロープ固定部５６から、第１張力調整用動滑車６１の動滑車本体２２に架け渡されて、次に第１張力調整用定滑車５１の定滑車本体２０に架け渡される。さらにこの張力調整用ロープ５０は、第２張力調整用動滑車６２の動滑車本体２２へ架け渡される。この先は順に、第２張力調整用定滑車５２、第３張力調整用動滑車６３、第３張力調整用定滑車５３、第４張力調整用動滑車６４、第４張力調整用定滑車５４、第５張力調整用動滑車６５、第５張力調整用定滑車５５、および第６張力調整用動滑車６６に架け渡される。第６張力調整用動滑車６６の動滑車本体２２に架け渡された張力調整用ロープ５０は、第２張力調整用ロープ固定部５７へ接続され固定される。
【００３０】
このとき、張力調整用ロープ５０に作用する張力を、次のように定義する。まず、第１張力調整用ロープ固定部５６に作用する張力をＴｕ１とする。第１張力調整用定滑車５１の定滑車本体２０に架けられた張力調整用ロープ５０に作用する張力をＴｕ２とする。同様に、第２張力調整用定滑車５２、第３張力調整用定滑車５３、第４張力調整用定滑車５４、および第５張力調整用定滑車５５それぞれの定滑車本体２０に架けられた張力調整用ロープ５０に作用する張力は、それぞれＴｕ３、Ｔｕ４、Ｔｕ５、およびＴｕ６と定義する。さらに第２張力調整用ロープ固定部５７に作用する張力はＴｕ７と定義している。
【００３１】
同様に、第１張力調整用動滑車６１、第２張力調整用動滑車６２、第３張力調整用動滑車６３、第４張力調整用動滑車６４、第５張力調整用動滑車６５、および第６張力調整用動滑車６６それぞれの動滑車本体２２に架けられた張力調整用ロープ５０に作用する張力は、それぞれＴｄ１、Ｔｄ２、Ｔｄ３、Ｔｄ４、Ｔｄ５、およびＴｄ６と定義する。
【００３２】
一方、昇降用ロープ４を構成する複数のロープに作用する張力を、以下のように定義する。第１ロープ３１に作用する張力は、Ｆ１とする。同様に第２ロープ３２、第３ロープ３３、第４ロープ３４、第５ロープ３５、および第６ロープ３６に作用する張力は、それぞれＦ２、Ｆ３、Ｆ４、Ｆ５、およびＦ６と定義する。これらの張力の関係を式（２）および式（３）に示す。
【００３３】
Ｔｕ１＝Ｔｄ１＝Ｔｕ２＝Ｔｄ２＝Ｔｕ３＝Ｔｄ３
＝Ｔｕ４＝Ｔｄ４＝Ｔｕ５＝Ｔｄ５＝Ｔｕ６＝Ｔｄ６＝Ｔｕ７          …（２）
２×Ｔｄ１＝Ｆ１、２×Ｔｄ２＝Ｆ２、２×Ｔｄ３＝Ｆ４、
２×Ｔｄ４＝Ｆ４、２×Ｔｄ５＝Ｆ５、２×Ｔｄ６＝Ｆ６            …（３）
式（２）、式（３）より、
Ｆ１＝Ｆ２＝Ｆ３＝Ｆ４＝Ｆ５＝Ｆ６…（４）
が成り立つ。
【００３４】
したがって、本実施形態によれば、昇降用ロープ４を構成する複数のロープにおいて、これらのロープに作用する全ての張力を均一にすることが可能である。
【００３５】
［第３の実施形態］
次に、本発明に係るエレベータシステムの第３の実施形態について、図９および図１０を用いて説明する。なお、同一部分または類似部分には、同一符号を付して、重複説明を省略する。本実施形態は、第２の実施形態の機能により昇降用ロープ４を構成する全てのロープに作用する張力を均一にすることに加え、省スペース化が可能となる例である。
【００３６】
図９は、図１のエレベータシステムに搭載される本実施形態の張力調整機構５を示す拡大側面図である。図１０は、図９のX−X線矢視正面図である。
【００３７】
滑車設置用架台９０の上面側は、第１張力調整用定滑車５１および第２張力調整用定滑車５２が配置されている。これらの張力調整用定滑車は、第１および第２の実施形態と同様に、配置されている。
【００３８】
滑車設置用架台９０の下面側は、第１張力調整用連結動滑車７１、第２張力調整用連結動滑車７２、および第３張力調整用連結動滑車７３などが配置されている。
【００３９】
第１張力調整用連結動滑車７１は、上方動滑車本体２４、下方動滑車本体２６、およびこれらを連結し一体化させる連結部材２９などにより構成されている。上方動滑車本体２４および下方動滑車本体２６には、それぞれ上方動滑車用回転軸２３および下方動滑車用回転軸２５を有している。上方動滑車本体２４および下方動滑車本体２６は、これらの回転軸２３、２５が水平で互いに平行になるように配置されて、かつ鉛直方向に並んで配置されている。この状態で、第１張力調整用連結動滑車７１は、上方動滑車用回転軸２３の端部と下方動滑車用回転軸２５の端部を連結部材２９により連結し一体化されている。
【００４０】
第２張力調整用連結動滑車７２および第３張力調整用連結動滑車７３についても、第１張力調整用連結動滑車７１と同様に構成されている。なお、これらの張力調整用連結動滑車は、ほぼ同じ直径の滑車本体で構成されている。
【００４１】
第２の実施形態と同様に、これらの張力調整用定滑車および張力調整用連結動滑車は、交互に配置されている。すなわち、端部側から順に、第１張力調整用連結動滑車７１、第１張力調整用定滑車５１、第２張力調整用連結動滑車７２、第２張力調整用定滑車５２、第３張力調整用連結動滑車７３、となるように配置されている。なお、これらの滑車の定滑車本体２０、上方動滑車本体２４、および下方動滑車本体２６の円盤面は、ほぼ同じ平面上に配置されている。
【００４２】
定滑車本体２０および上方動滑車本体２４には、少なくとも１本の張力調整用ロープ５０が架け渡されるように配置され、張力調整用連結動滑車を支持している。
【００４３】
また、滑車設置用架台９０の上面側には、第２の実施形態と同様に、張力調整用ロープ５０の両端部が固定される第１張力調整用ロープ固定部５６および第２張力調整用ロープ固定部５７が設けられている。この張力調整用ロープ５０は、第１張力調整用ロープ固定部５６から、第１張力調整用連結動滑車７１の上方動滑車本体２４に架け渡されて、次に第１張力調整用定滑車５１の定滑車本体２０に架け渡される。さらに張力調整用ロープ５０は、第２張力調整用連結動滑車７２の上方動滑車本体２４へ架け渡される。この先は順に、第２張力調整用定滑車５２の定滑車本体２０、第３張力調整用連結動滑車７３の上方動滑車本体２４に架け渡される。第３張力調整用連結動滑車７３の上方動滑車本体２４に架け渡された張力調整用ロープ５０は、第２張力調整用ロープ固定部５７へ接続されて固定される。
【００４４】
昇降用ロープ４は、第１の実施形態と同様に、３本のロープ、すなわち第１ロープ３１、第２ロープ３２、および第３ロープ３３で構成されている。
【００４５】
第１張力調整用連結動滑車７１の下方動滑車本体２６には、第１ロープ３１が架け渡されている。同様に、第２ロープ３２が第２張力調整用連結動滑車７２の下方動滑車本体２６に架け渡されて、第３ロープ３３が第３張力調整用連結動滑車７３の下方動滑車本体２６に架け渡されている。
【００４６】
第１の実施形態と同様に、下方動滑車本体２６に架けられる第１ロープ３１の両端に作用する張力Ｆ１およびＦ２は等しい。同様に、第２ロープ３２の両端に作用する張力Ｆ３
およびＦ４は等しく、第３ロープ３３の両端に作用する張力Ｆ５およびＦ６は等しい。
【００４７】
よって、これらをまとめて、第１張力調整用連結動滑車７１の下方動滑車本体２６に作用する張力をｔα、第２張力調整用連結動滑車７２の下方動滑車本体２６に作用する張力をｔβ、第３張力調整用連結動滑車７３の下方動滑車本体２６に作用する張力をｔγとすると、以下に示す式（５）が成り立つ。
【００４８】
Ｆ１＝Ｆ２＝ｔα、Ｆ３＝Ｆ４＝ｔβ、Ｆ５＝Ｆ６＝ｔγ    …（５）
このとき、張力調整用ロープ５０に作用する張力を、第２の実施形態と同様に定義する。第１張力調整用ロープ固定部５６に作用する張力をＴｕ１、第１張力調整用定滑車５１の定滑車本体２０に作用する張力をＴｕ２、第２張力調整用定滑車５２の定滑車本体２０に作用する張力をＴｕ３、第２張力調整用ロープ固定部５７に作用する張力をＴｕ４と定義する。同様に、第１張力調整用連結動滑車７１、第２張力調整用連結動滑車７２、および第３張力調整用連結動滑車７３それぞれの上方動滑車本体２４に作用する張力は、それぞれＴｍ１、Ｔｍ２、およびＴｍ３と定義する。これらの張力の関係を式（６）、および式（７）により示す。
【００４９】
Ｔｕ１＝Ｔｍ１＝Ｔｕ２＝Ｔｍ２＝Ｔｕ３＝Ｔｍ３＝Ｔｕ４    …（６）
Ｔｍ１＝ｔα、Ｔｍ２＝ｔβ、Ｔｍ３＝ｔγ                  …（７）
上記の式（５）、式（６）および式（７）から、
Ｆ１＝Ｆ２＝Ｆ３＝Ｆ４＝Ｆ５＝Ｆ６    …（８）
が成り立つ。
【００５０】
したがって、本実施形態によれば、昇降用ロープ４を構成する複数のロープにおいて、これらのロープに作用する全ての張力を均一にすることが可能である。さらに、第２の実施形態に比べて省スペース化が可能となる。
【００５１】
［その他の実施形態］
上記実施形態の説明は、本発明を説明するための例示であって、特許請求の範囲に記載の発明を限定するものではない。又、本発明の各部構成は上記実施形態に限らず、特許請求の範囲に記載の技術的範囲内で種々の変形が可能である。
【００５２】
例えば、昇降用ロープ４は、３本または６本に限らない。
【００５３】
また、本実施形態で用いる張力調整機構５は、エレベータシステム以外にも適用でき、例えば、複数のロープで重量物の支持、または移動させるような懸架、牽引、揚重などの
システムには適用することが可能である。
【図面の簡単な説明】
【００５４】
【図１】本発明に係るエレベータシステムの第１の実施形態を示す概略正面図である。
【図２】図１の実施形態においてかご室用滑車が２つ配置された例を示す概略正面図である。
【図３】図２の昇降用ロープに張力が作用している状態を示す概略正面図である。
【図４】第１の実施形態における張力調整機構を図１のエレベータシステムに搭載した例を示す拡大側面図である。
【図５】図４の正面図である。
【図６】図４の変形例を示す図であって、（ａ）は正面図、（ｂ）は側面図である。
【図７】第２の実施形態における張力調整機構を図１のエレベータシステムに搭載した例を示す拡大側面図である。
【図８】図７のVIII−VIII線矢視図で一部断面の正面図である。
【図９】第３の実施形態における張力調整機構を図１のエレベータシステムに搭載した例を示す拡大側面図である。
【図１０】図９のX−X線矢視正面図である。
【符号の説明】
【００５５】
１…かご室、２…釣り合い重り、３…巻上機、４…昇降用ロープ、５…張力調整機構、１１…かご室用滑車、１２…釣り合い重り用滑車、１５…昇降路、１９…定滑車用回転軸、２０…定滑車本体、２１…動滑車用回転軸、２２…動滑車本体、２３…上方動滑車用回転軸、２４…上方動滑車本体、２５…下方動滑車用回転軸、２６…下方動滑車本体、２７…支持部材、２８…端部固定部材、２９…連結部材、３１…第１ロープ、３２…第２ロープ、３３…第３ロープ、３４…第４ロープ、３５…第５ロープ、３６…第６ロープ、４１…緩衝ばね、４２…倒れ防止部材、５０…張力調整用ロープ、５１…第１張力調整用定滑車、５２…第２張力調整用定滑車、５３…第３張力調整用定滑車、５４…第４張力調整用定滑車、５５…第５張力調整用定滑車、５６…第１張力調整用ロープ固定部、５７…第２張力調整用ロープ固定部、６１…第１張力調整用動滑車、６２…第２張力調整用動滑車、６３…第３張力調整用動滑車、６４…第４張力調整用動滑車、６５…第５張力調整用動滑車、６６…第６張力調整用動滑車、７１…第１張力調整用連結動滑車、７２…第２張力調整用連結動滑車、７３…第３張力調整用連結動滑車、９０…滑車設置用架台
【図１】
2009062132.tif 000003
【図２】
2009062132.tif 000004
【図３】
2009062132.tif 000005
【図４】
2009062132.tif 000006
【図５】
2009062132.tif 000007
【図６】
2009062132.tif 000008
【図７】
2009062132.tif 000009
【図８】
2009062132.tif 000010
【図９】
2009062132.tif 000011
【図１０】
2009062132.tif 000012